(57)【要約】【課題】取り付け時のシャッタの破損を防止可能な局部洗浄装置を提供する。【解決手段】局部洗浄装置は、シャッタ１０と、取付部６１−１，６１−２を取付可能な被取付部６５−１，６５−２を有し、シャッタ１０を着脱自在に設けられたシャッタベースとを備えている。シャッタベースには、誤組付け防止構造が設けられている。【選択図】図３
2020158994.tif 000002
【特許請求の範囲】
【請求項１】
ノズル開口部を通じて便鉢の内側空間とカバーケースとの間を移動可能に構成され、前記内側空間に位置したときに先端部から洗浄水を吐出する吐水ノズルと、
前記ノズル開口部を開閉可能に設けられ、後面に取付部を有するシャッタと、
前記取付部を取付可能な被取付部を有し、前記シャッタを着脱自在に設けられたシャッタ取付機構と、
を備え、
前記シャッタ及び前記シャッタ取付機構の一方又は双方には、誤組付け防止構造が設けられている、
局部洗浄装置。
【請求項２】
前記被取付部は、周囲の部材とは異なる色で着色され、
前記誤組付け防止構造は、着色された前記被取付部で構成されている、
請求項１に記載の局部洗浄装置。
【請求項３】
前記シャッタは、前面の上側の領域の一部又は全部が所定の色で着色された第１領域と、前記前面の下側の領域の一部又は全部が前記所定の色とは異なる色で着色された第２領域と、を有し、
前記誤組付け防止構造は、前記第１領域及び前記第２領域で構成されている、
請求項１に記載の局部洗浄装置。
【請求項４】
前記シャッタは、下端から下方に突出する第１突起又は上端から上方に突出する第２突起を有し、
前記誤組付け防止構造は、前記第１突起又は前記第２突起で構成されている、
請求項１に記載の局部洗浄装置。
【請求項５】
前記シャッタは、後面に左右方向に分かれて設けられた第１取付部及び第２取付部を有し、
前記シャッタ取付機構は、前記第１取付部及び前記第２取付部を取り付け可能に設けられた第１被取付部及び第２被取付部を有し、
前記取付部は前記第１取付部及び前記第２取付部で構成され、
前記被取付部は前記第１被取付部及び第２被取付部で構成され、
前記第１取付部及び前記第１被取付部は所定の色で着色され、
前記第２取付部及び前記第２被取付部は前記所定の色とは異なる色で着色され、
前記誤組付け防止構造は、前記第１取付部、前記第２取付部、第１被取付部及び第２被取付部で構成されている、
請求項１に記載の局部洗浄装置。
【請求項６】
前記シャッタは、後面から後方に突出する突起を有し、
前記シャッタ取付機構には、前記突起が係止される係止凹部が形成されている、
請求項１に記載の局部洗浄装置。
【発明の詳細な説明】
【技術分野】
【０００１】
本発明は、局部洗浄装置に関する。
【背景技術】
【０００２】
一般に、大便器には、局部に向けて洗浄水を吐出可能な局部洗浄装置が設けられている。局部洗浄装置は、リモコン操作等による制御信号を受け、ノズル開口部を通って便鉢の内側空間と便器本体の後側の領域に設けられた洗浄機能部との間で移動可能な吐水ノズルを備えている。局部洗浄装置には、ノズル開口部を開閉可能なシャッタが設けられている。シャッタは、吐水ノズルが洗浄機能部からノズル開口部を通って便鉢の内側空間に移動するときに開き、吐水ノズルが便鉢の内側空間からノズル開口部を通ってノズルケースの内部空間に移動するときに閉じる。
【０００３】
例えば、特許文献１には、シャッタが着脱可能に取り付けられ、アーム部を前後方向に進退自在に支持して配設されるシャッタアームを備えた局部洗浄装置が開示されている。
【先行技術文献】
【特許文献】
【０００４】
【特許文献１】特開２０１７−０４８５６４号公報
【発明の概要】
【発明が解決しようとする課題】
【０００５】
特許文献１に開示されている局部洗浄装置では、シャッタを取付対象のシャッタアーム（シャッタ取付機構）の所定の箇所に取り付けやすくするために、大便器の前側又は斜め側方から所定の箇所及びその近傍を目視できるようになっている。しかしながら、従来のシャッタアームの視認性は高くなく、シャッタを本来の正しい配置とは異なる配置でシャッタアームに取り付けてしまうという所謂「誤組付け」が発生し、シャッタの破損を招きかねないという問題があった。
【０００６】
本発明は、取り付け時のシャッタの破損を防止可能な局部洗浄装置を提供する。
【課題を解決するための手段】
【０００７】
本発明の局部洗浄装置は、ノズル開口部を通じて便鉢の内側空間とカバーケースとの間を移動可能に構成され、前記内側空間に位置したときに先端部から洗浄水を吐出する吐水ノズルと、前記ノズル開口部を開閉可能に設けられ、後面に取付部を有するシャッタと、前記取付部を取付可能な被取付部を有し、前記シャッタを着脱自在に設けられたシャッタ取付機構と、を備え、前記シャッタ及び前記シャッタ取付機構の一方又は双方には、誤組付け防止構造が設けられている。
【０００８】
上述の構成では、シャッタ及びシャッタ取付機構の一方又は双方に誤組付け防止構造が設けられているので、使用者に、シャッタ取付機構に対するシャッタの正しい取り付け向きや、シャッタ取付機構に対する正しい取り付け姿勢が視認される。このことによって、シャッタの誤組付けが防止され、シャッタの破損が防止される。
【０００９】
本発明の局部洗浄装置では、前記被取付部は、周囲の部材とは異なる色で着色され、前記誤組付け防止構造は、着色された前記被取付部で構成されていてもよい。
【００１０】
上述の構成では、周囲の構成とは異なる色に着色された被取付部に対する視認性が高まる。このことによって使用者の注意が被取付部に引き付けられ、シャッタの誤組付けが防止される。
【００１１】
本発明の局部洗浄装置では、前記シャッタは、前面の上側の領域の一部又は全部が所定の色で着色された第１領域と、前記前面の下側の領域の一部又は全部が前記所定の色とは異なる色で着色された第２領域と、を有し、前記誤組付け防止構造は、前記第１領域及び前記第２領域で構成されていてもよい。
【００１２】
上述の構成では、使用者が容易に且つ瞬時に第１領域及び第２領域を視認し、第１領域を上に向けてシャッタが保持され、シャッタ取付機構の所定の箇所に取り付けられる。このことによって、シャッタの誤組付けが防止される。
【００１３】
本発明の局部洗浄装置では、前記シャッタは、下端から下方に突出する第１突起又は上端から上方に突出する第２突起を有し、前記誤組付け防止構造は、前記第１突起又は前記第２突起で構成されてもよい。
【００１４】
上述の構成では、シャッタの下端に第１突起が、又はシャッタの上端に第２突起が設けられるので、シャッタの上端の輪郭と下端の輪郭とが互いに異なる。使用者がシャッタの上端及び下端を見れば、或いは上端及び下端に触れれば、突起の有する端及びその端を上に向けるのか、下に向けるのかがわかる。つまり、シャッタ取付機構に対するシャッタの正しい取り付け向き、取り付け姿勢が容易に視認される。また、シャッタ取付機構において本来は第１突起又は第２突起が配置されない領域に第１突起又は第２突起がくるようシャッタを取り付けようとすると、上下方向においてシャッタとシャッタ取付機構との間に隙間ができてしまう。このことによっても、使用者はシャッタが誤った向きでシャッタ取付機構に取り付けられようとしていることを認識する。したがって、シャッタの誤組付けが防止される。
【００１５】
本発明の局部洗浄装置では、前記シャッタは、後面に左右方向に分かれて設けられた第１取付部及び第２取付部を有し、前記シャッタ取付機構は、前記第１取付部及び前記第２取付部を取り付け可能に設けられた第１被取付部及び第２被取付部を有し、前記取付部は前記第１取付部及び前記第２取付部で構成され、前記被取付部は前記第１被取付部及び第２被取付部で構成され、前記第１取付部及び前記第１被取付部は所定の色で着色され、前記第２取付部及び前記第２被取付部は前記所定の色とは異なる色で着色され、前記誤組付け防止構造は、前記第１取付部、前記第２取付部、第１被取付部及び第２被取付部で構成されていてもよい。
【００１６】
上述の構成では、互いに同色の第１取付部が第１被取付部に取り付けられ、これらとは異なる色且つ互いに同色の第２取付部が第２被取付部に取り付けられることによって、シャッタが所定の向き及び姿勢でシャッタ取付機構に取り付けられる。互いに異なる２色を用いることによって、互いに取り付けられるべき第１取付部及び第１被取付部と、第２取付部及び第２被取付部が使用者にきわめて視認されやすい形態で対応付けられる。このことによって、シャッタの誤組付けが防止される。
【００１７】
本発明の局部洗浄装置では、前記シャッタは、後面から後方に突出する突起を有し、前記シャッタ取付機構には、前記突起が係止される係止凹部が形成されていてもよい。
【００１８】
上述の構成では、突起が係止凹部に嵌まることによって、シャッタが所定の向き及び姿勢でシャッタ取付機構に取り付けられる。シャッタが誤った向きでシャッタ取付機構に取り付けられそうになっても、突起がシャッタ取付機構において凹部が形成されていない下端部に当たり、取り付けできない。このことによって、シャッタの誤組付けが防止される。
【発明の効果】
【００１９】
本発明の局部洗浄装置によれば、取り付け時のシャッタの破損を防止できる。
【図面の簡単な説明】
【００２０】
【図１】本発明の第１実施形態の局部洗浄装置を備えた便器の斜視図である。
【図２】図１に示す便器の後部カバーを外した状態の斜視図である。
【図３】図２に示す局部洗浄装置においてシャッタとシャッタベースとの取付構造を示す斜視図である。
【図４】図３に示すシャッタの背面図である。
【図５】本発明の第２実施形態の局部洗浄装置のシャッタの正面図である。
【図６】本発明の第３実施形態の局部洗浄装置のシャッタの正面図である。
【図７】本発明の第４実施形態の局部洗浄装置のシャッタの背面図である。
【図８】本発明の第５実施形態の局部洗浄装置においてシャッタとシャッタベースとの取付構造を示す斜視図である。
【発明を実施するための形態】
【００２１】
以下、本発明の好ましい実施形態について、図面を参照して説明する。
【００２２】
（第１実施形態）
図１に示すように、第１実施形態の便器１００は、便器本体１と、洗浄機能部２と、便座３と、便蓋５、を備えている。以下、便器１００の使用者が便座３に着座した際に使用者から見て左の相対位置を左側、使用者から見て右の相対位置を右側とし、左側と右側とを結ぶ方向を左右方向Ｔ１とする。使用者が便座３に着座した際に使用者の前にあたる相対位置を前側、使用者の後にあたる相対位置を後側とし、前側と後側とを結ぶ方向を前後方向Ｔ２とする。使用者が便座３に着座した際に使用者から見て上にあたる相対位置を上側、使用者から見て下にあたる相対位置を下側とし、上側と下側とを結ぶ方向を上下方向Ｔ３とする。
【００２３】
洗浄機能部２は、便器本体１の後側の領域に設けられたカバーケース６に着脱可能に設けられている。洗浄機能部２は、例えば使用者によるリモコン操作に応じた制御信号を検知し、便器本体１の便鉢２１の内周面２７及び内側空間２３に洗浄水を吐出させる。便鉢２１の上部には、内側空間２３に向かって突出するリム２５が設けられている。洗浄機能部２は、内周面２７及び内側空間２３に流す洗浄水の量を調整している。内側空間２３の下部には、便鉢２１と不図示の排水管との連通口を封止する洗浄水２６が貯留されている。
【００２４】
便座３及び便蓋５は、カバーケース６に着脱可能に接続され、左右方向Ｔ１に延びる回転軸Ｏ１を中心に回動自在になっている。便蓋５は、便器本体１及び便座３の開口部を開閉可能である。
【００２５】
図２に示すように、カバーケース６は、ベースプレート７と、カバー８とを備えている。ベースプレート７は、便器本体１の後側の領域に設けられ、洗浄機能部２及び局部洗浄装置４の基台になっている。カバー８は、ベースプレート７に組み付けられ、ベースプレート７と共に洗浄機能部２及び局部洗浄装置４の収容空間を形成する。
【００２６】
図２に示すように、局部洗浄装置４は、洗浄機能部２と共にカバーケース６に収容されている。具体的には、局部洗浄装置４は、ノズル操作機構１１と、温水供給機構と、温風乾燥機構１２と、脱臭機構１３と、ノズル可動機構１４を備えている。
【００２７】
ノズル操作機構１１は、ベースプレート７の前後方向Ｔ２における前側且つ左右方向Ｔ１における略中央の部分に設けられている。温水供給機構は、局部を洗浄するための温水をノズル操作機構１１に供給する。
【００２８】
ノズル操作機構１１は、肛門洗浄用の吐水ノズル１７とビデ用の吐水ノズル１８、及び吐水ノズル１７，１８を内包するノズルカバー１５、ノズル可動機構１４を備えている。各吐水ノズル１７，１８は、略円柱棒状に形成されている。吐水ノズル１７，１８及びノズルカバー１５は、それぞれ先端部が前側に進むに従い漸次下降し、傾斜した状態で配置されている。そのため、吐水ノズル１７，１８は、前方に移動するに従って漸次下降する。以下、吐水ノズル１７，１８の軸線の移動する方向を、移動方向Ｔ５とする。吐水ノズル１７，１８の軸線は、互いに同方向に向けて平行になっている。吐水ノズル１７，１８の各先端部には、洗浄水を吐出する吐出孔が形成されている。洗浄水は、吐水ノズル１７，１８の後端から吐水ノズル１７，１８の内部に供給されて内部を流通し、前述の吐出孔から所定の方向に吐出される。
【００２９】
温風乾燥機構１２は、局部を乾燥させるための温風を供給するノズル等に供給する、或いは温風を内側空間２３に直接供給する。
【００３０】
脱臭機構１３は、例えば、不図示の脱臭カートリッジを備え、内側空間２３の空気を吸引し、脱臭カートリッジにより脱臭を行う。
【００３１】
ノズル可動機構１４は、ラックピニオン機構で構成されている。つまり、吐水ノズル１７，１８は、個別に、ラックピニオン機構によって前述の軸線に沿って移動する。
【００３２】
リモコン操作等に応じてモータ１９及びピニオンが一方向に回転すると、吐水ノズル１７，１８が各軸線に沿って前方に移動し、ノズル通過領域（ノズル開口部）９を通って便鉢２１の内側空間２３に突出する。一方、リモコン操作等に応じてモータ１９及びピニオンが前述の一方向とは逆の方向に回転すると、吐水ノズル１７，１８が各軸線に沿って後方に移動し、ノズル通過領域９を通ってノズルカバー１５に収容される。つまり、吐水ノズル１７，１８は、ノズル通過領域９を通って内側空間２３とカバーケース６の内部空間との間を移動方向Ｔ５に略沿って移動可能に構成されている。吐水ノズル１７，１８は、内側空間２３に位置したときに前述の吐水孔から洗浄水を吐出する。
【００３３】
局部洗浄装置４は、前述の吐水ノズル１７，１８、ノズルカバー１５、ノズル可動機構１４に加え、シャッタベース（シャッタ取付機構）３０と、シャッタ１０とを備えている。
【００３４】
図２及び図３に示すように、シャッタベース３０は、第１ベース本体３２と、第２ベース本体３４と、シャッタアーム２０と、シャッタ受け４０とを備えている。第１ベース本体３２は、ノズルカバー１５の先端部、即ち前側の端部を挿入及び固定可能な挿入口又は挿入凹部（図示略）が形成されている。ノズルカバー１５の先端部が前述の挿入口又は挿入凹部に挿入されることによって、第１ベース本体３２はノズルカバー１５の先端近傍に固定されている。第１ベース本体３２の左右方向Ｔ１の両端には、アーム保持部３６が設けられている。
【００３５】
第２ベース本体３４は、第１ベース本体３２の前側に配置され、第１ベース本体３２と所定の相対位置を保持可能に構成されている。第２ベース本体３４の左右方向Ｔ１の両端には、アーム挿通部３８が設けられている。アーム挿通部３８の軸線は、アーム保持部３６の軸線と互いに同一線上に位置している。第１ベース本体３２と第２ベース本体３４とは、前後方向Ｔ２において共通のネジによって互いに着脱可能な状態で接続されている。アーム挿通部３８の上端部には、雌ネジ孔３９が形成されている。雌ネジ孔３９に螺合するネジ（図示略）がベースプレート７に形成されているネジ挿通孔に挿通することによって、シャッタベース３０は、ベースプレート７の所定の位置に固定されている。
【００３６】
アーム挿通部３８には、軸線に沿って不図示の中空領域が形成されている。中空領域を囲むアーム挿通部３８の周壁の先端部は、軸線を中心として径方向の内側にやや窄んでいる。
【００３７】
図３に示すように、シャッタアーム２０は、軸部２２と、支持部２４とを備えている。図３には、軸部２２と、支持部２４の前端部が露出して見えている。軸部２２には、シャッタ受け３４が取り付けられている。軸部２２は、略円形の断面を有する棒状部材３３で構成されている。棒状部材３３の周面には、径方向の外側に向けて突出する突起が設けられている。この突起にシャッタ受け３４が係止されることによって、シャッタ受け３４が軸部２２に保持されている。
【００３８】
支持部２４は、一対の支持アームで構成されている。一対の支持アームは、軸部２２の左右方向Ｔ１の両端部から後方に延びている。一対の支持アームの前端部は、ノズル通過領域９に露出し、シャッタ１０の取付部６１を取付可能な被取付部（第１被取付部及び第２被取付部）６５−１，６５−２を有する。被取付部６５−１，６５−２は、軸部２２と略同軸で左右方向Ｔ３に沿って設けられ、略矩形の断面を有する。
【００３９】
本実施形態では、被取付部６５−１，６５−２は、周囲の部材とは異なる色で着色されている。周囲の部材とは、例えばカバーケース６やシャッタベース３０等の部材を意味する。被取付部６５−１，６５−２の色は、特に限定されないが使用者に視認されやすい色であることが好ましい。例えば、被取付部６５−１，６５−２以外のシャッタベース３０の各構成要素が灰色に着色され、被取付部６５−１，６５−２が赤色に着色されている。被取付部６５−１，６５−２は、シャッタ１０がシャッタアーム２０に取り付けられていない状態において、使用者に対してシャッタ１０を取り付ける位置の視認性を高める。被取付部６５−１，６５−２は、シャッタ１０を本来の正しい配置とは異なる配置でシャッタアーム２０に取り付けてしまうことを防止する誤組付け防止構造を構成している。
【００４０】
一対の支持アームのそれぞれの後端部は、側面視において後端部から膨出する回動部が設けられている。回動部は、回動側面と、回動上部と、回動下部と、バネ接続突起とを備えている。回動上部の上面及び回動下部の下面は、図２に示すアーム挿通部３８の中空領域の前端の周壁面に当接する。側面視における回動上部の上面及び回動下部より径方向の内側の回動側面から、左右方向Ｔ１の外側にバネ接続突起が突出している。バネ接続突起とベースプレート７の上面の所定の位置とは、アーム保持部３６の後端に形成されている開口を通る不図示のバネ部材で接続されている。このことにより、シャッタアーム２０は、カバーケース６の内部空間の後部に付勢されている。
【００４１】
正面視では、シャッタ受け４０は、正面視で略長方形状を有する。側面視では、シャッタ受け４０の上下方向Ｔ３の中央近傍の前面に、後側に凹む凹部が形成されている。この凹部は、シャッタ受け４０の左端から右端に延びている。シャッタ受け４０の前面の前述の凹部の上端縁及び下端縁には、凹部の内側に突出する突起片が設けられている。シャッタ受け４０の左右方向Ｔ１の両端部には、左右方向Ｔ１に沿って両端部から突出する突起３５が設けられている。前述の凹部が軸部２２に嵌められることによって、シャッタ受け４０は、軸部２２の回転軸Ｏ２２を中心に回転可能になっている。
【００４２】
シャッタ１０は、シャッタ受け４０と共にノズル通過領域９を開閉可能に設けられている。シャッタ１０は、局部洗浄時に吐水ノズル１７，１８がカバーケース６の内部空間から内側空間２３へ進出する動作に応じて、ノズル通過領域９を開く（図２参照）。
【００４３】
シャッタが閉まっている状態で移動方向Ｔ５に沿って見た場合、シャッタ１０は、左右方向Ｔ１に延出した形状に形成されている。シャッタ１０の上端又は下端の左右方向Ｔ１の大きさは、上下方向Ｔ３の中央のシャッタ１０の左右方向Ｔ１の大きさより小さい。正面視したとき、シャッタ１０の上下方向Ｔ３の大きさは、略均一であり、シャッタ１０の上端又は下端の左右方向Ｔ１の大きさより小さい。左右方向Ｔ１に沿って見たとき、シャッタ１０は、シャッタ１０の上下方向Ｔ３の中央部分がシャッタ１０の上端及び下端より斜め前側に位置するように膨出している。
【００４４】
シャッタ１０の後面６２には、取付部（第１取付部及び第２取付部）６１−１，６１−２が設けられている。取付部６１−１，６１−２は、左右方向Ｔ１に分かれて互いに間隔をあけて、被取付部６５−１，６５−２に対応する位置に設けられている。各取付部６１−１，６１−２は、後面６２から後方に突出する突起６３で構成されている。突起６３には、被取付部６５に前側から嵌まる凹部６４が形成されている。
【００４５】
なお、シャッタ１０の後面６２には、後面６２と同色且つ後面６２から後方に凸となるように、「ウエ」、「シタ」、「ＵＰ」、「ＤＯＷＮ」、上三角系の目印が付されている。
【００４６】
上述のシャッタベース３０、シャッタ１０、シャッタアーム２０の構成において、アーム挿通部３８及びアーム保持部３６の中空領域を囲む周壁面に、シャッタアーム２０の回動上部の上面及び回動下部の下面が当接する。このことによって、支持部２４がアーム保持部３６及びアーム挿通部３８の中空領域で、移動方向Ｔ５に移動自在な状態で保持されている。また、シャッタアーム２０の回動上部の上面及び回動下部の下面がアーム挿通部３８の中空領域の前端の周壁面に当接しつつ摺動可能であることによって、支持部２４が上下方向に回動自在な状態で保持される。
【００４７】
シャッタアーム２０によって支持されているシャッタ１０は、吐水ノズル１７，１８の移動に応じて、ノズル通過領域９に対して移動方向Ｔ５に移動しつつ、上下方向Ｔ３に回転可能に設けられている。
【００４８】
以上説明した第１形態の局部洗浄装置４は、上述の吐水ノズル１７，１８と、シャッタ１０と、シャッタアーム２０と、を備える。シャッタアーム２０の支持部２４の上面４６は平滑面で構成されている。吐水ノズル１７，１８の少なくとも先端部が便鉢２１の内側空間２３に位置している場合、シャッタ１０が開いており、主に支持部２４が内側空間２３に露出される。局部洗浄装置４によれば、上面４６は平滑面で構成されて上面４６に凹凸がないので、水、埃や汚物が支持部２４に到達しても上面４６に滞留しにくく、支持部２４が清潔に保たれる。また、上面４６を清掃しやすくなり、局部洗浄装置４を清潔に保つことができる。
【００４９】
以上説明した第１形態の局部洗浄装置４は、上述のシャッタ１０と、取付部６１−１，６１−２を取付可能な被取付部６５−１，６５−２を有し、シャッタ１０を着脱自在に設けられたシャッタベース３０と、を備えている。シャッタベース３０には、誤組付け防止構造が設けられている。このことによって、使用者に、シャッタベース３０の被取付部６５−１，６５−２に対するシャッタ１０の正しい取り付け向きや、正しい取り付け姿勢を容易に視認させることができる。このことによって、シャッタ１０の誤組付けを防止し、結果としてシャッタ１０の破損やシャッタ１０の動作の不具合の発生を防止できる。
【００５０】
第１実施形態の局部洗浄装置４では、被取付部６５−１，６５−２は、被取付部６５−１，６５−２以外のシャッタベース３０の各構成とは異なる色で着色されている。また、誤組付け防止構造は、着色された被取付部６５−１，６５−２で構成されている。第１実施形態の局部洗浄装置４によれば、周囲の部材とは異なる色に着色された被取付部６５−１，６５−２に対する視認性を高めることができる。このことによって使用者の注意が被取付部６５−１，６５−２に引き付けられ、シャッタの誤組付けを防止できる。
【００５１】
なお、第１実施形態では、シャッタアーム２０の被取付部６５−１，６５−２がカバーケース６やシャッタベース３０等の周囲の部材とは異なる色で着色されていることを説明したが、シャッタアーム２０全体が周囲の部材とは異なる色で着色されていてもよい。
【００５２】
（第２実施形態）
次いで、本発明の第２実施形態の局部洗浄装置について説明する。なお、以下の各実施形態では、第１実施形態と異なる内容についてのみ説明し、第１実施形態と共通する内容の説明は省略する。また、第１実施形態の局部洗浄装置の構成要素と共通する第２実施形態の局部洗浄装置の構成要素には、第１実施形態と同一の符号を付している。
【００５３】
図５に示すように、第２実施形態では、シャッタ１０は、前面６６の上下方向Ｔ３の中心より上側の領域の全部が所定の色で着色された第１領域７１と、前面６６の上下方向Ｔ３の中心より下側の領域の全部が第１領域７１の色（所定の色）とは異なる色で着色された第２領域７２とを有する。第２実施形態の局部洗浄装置の誤組付け防止構造は、第１領域７１及び第２領域７２で構成されている。
【００５４】
第１領域７１及び第２領域７２の色は互いに異なれば特に限定されないが、第１領域７１及び第２領域７２の違いを使用者に迅速に視認させることができる色の組み合わせであることが好ましい。例えば、第１領域７１及び第２領域７２の一方の領域が赤く着色され、第１領域７１及び第２領域７２のもう一方の領域が青く着色されてもよい。また、第１領域７１及び第２領域７２が互いに反対色である２色で着色されてもよい。
【００５５】
第２実施形態の局部洗浄装置によれば、使用者が容易に且つ瞬時に第１領域７１及び第２領域７２を視認できる。使用者が第１領域７１を上に向けてシャッタ１０の取付部６１−１，６１−２を被取付部６５−１，６５−２に取り付けることができる（図３参照）。このことによって、シャッタ１０の誤組付けを防止し、シャッタ１０の破損やシャッタ１０の動作の不具合の発生を防止できる。
【００５６】
なお、使用者が第１領域７１及び第２領域７２の違いを視認できれば、第１領域７１は前面６６の上側の領域の一部であってもよく、第２領域７２は前面６６の下側の領域の一部であってもよい。また、第１領域７１と第２領域７２の境界は、上下方向Ｔ３の中心に限定されない。例えば、第１領域７１と第２領域７２の境界の上下方向Ｔ３の位置がカバーケース６の底面或いは屈曲部の位置と一致していると、便器１００や局部洗浄装置の美観性が高まる。
【００５７】
（第３実施形態）
次いで、本発明の第３実施形態の局部洗浄装置について説明する。
【００５８】
図６に示すように、第３実施形態では、シャッタ１０は、下端から下方に突出する突起（第１突起）８１を有する。突起８１は、シャッタ１０の左右方向Ｔ１の略中央に設けられ、正面視半円状に形成されている。第３実施形態の局部洗浄装置の誤組付け防止構造は、突起８１で構成されている。
【００５９】
第３実施形態の局部洗浄装置によれば、シャッタ１０の下端に突起８１が設けられるので、シャッタ１０の上端の輪郭と突起８１を含む下端の輪郭とを互いに異ならせることができる。使用者がシャッタの上端及び下端を見れば、或いは上端及び下端に触れれば、突起８１の有する端及びその端を下に向けることを瞬時に認識できる。このことによって、シャッタベース３０に対するシャッタ１０の正しい取り付け向き、取り付け姿勢を使用者に容易に視認させることができる。万一、使用者が突起８１を上にしてシャッタ１０をシャッタベース３０に取り付けようとすると、図３を参照するとわかるように、上下方向Ｔ３においてシャッタ１０とシャッタベース３０との間に隙間ができてしまう。つまり、シャッタ１０の誤組付けを防止し、シャッタ１０の破損やシャッタ１０の動作の不具合の発生を防止できる。
【００６０】
なお、突起８１は、図６に二点鎖線で示すようにシャッタ１０の下端の左右方向Ｔ１の両端に設けられていてもよい。また、シャッタ１０が上下方向ｔ３の下側に開く場合等は、シャッタ１０の上端に突起（第２突起）が設けられてもよい。
【００６１】
（第４実施形態）
次いで、本発明の第４実施形態の局部洗浄装置について説明する。
【００６２】
図７に示すように、第４実施形態では、取付部６１−１及び被取付部６５−１は所定の色で着色され、取付部６１−２及び被取付部６５−２は前述の所定の色とは異なる色で着色されている。被取付部６５−１，６５−２については、図３を参照されたい。第４実施形態の局部洗浄装置の誤組付け防止構造は、取付部６１−１，６１−２、被取付部６５−１，６５−２で構成されている。
【００６３】
取付部６１−１及び被取付部６５−１、取付部６１−２及び被取付部６５−２同士の色は互いに異なれば特に限定されないが、取付部６１−１及び被取付部６５−１の対応関係及び取付部６１−２及び被取付部６５−２の対応関係を使用者に迅速に視認させることができる色の組み合わせであることが好ましい。例えば、取付部６１−１及び被取付部６５−１が赤く着色され、取付部６１−２及び被取付部６５−２が青く着色されてもよい。また、取付部６１−１及び被取付部６５−１、取付部６１−２及び被取付部６５−２同士が互いに反対色である２色で着色されてもよい。
【００６４】
第４実施形態の局部洗浄装置によれば、取付部６１−１が同色の被取付部６５−１に取り付けられ、これらとは異なる色の取付部６１−２が同色の被取付部６５−２に取り付けられることによって、シャッタ１０が所定の向き及び姿勢でシャッタベース３０に取り付けられる。互いに異なる２色を用いることによって、互いに取り付けられるべき取付部６１−１，６１−２と被取付部６５−１，６５−２の正しい組み合わせを使用者に容易に視認させることができる。このことによって、シャッタ１０の誤組付けを防止し、シャッタ１０の破損やシャッタ１０の動作の不具合の発生を防止できる。
【００６５】
（第５実施形態）
次いで、本発明の第５実施形態の局部洗浄装置について説明する。
【００６６】
図８に示すように、第５実施形態では、シャッタ１０は、後面６２の上端から後方に突出する突起９２を有する。突起９２は、シャッタ受け４０の上部に形成されている凹部（係止凹部）９４に挿入可能に形成されている。凹部９４は、突起９２の突出量及び形状と同様の深さ及び形状を有する。
【００６７】
第５実施形態の局部洗浄装置によれば、突起９２が凹部９４に収まることによって、シャッタ１０が所定の向き及び姿勢でシャッタベース３０に取り付け可能になっている。万一、使用者がシャッタ１０が誤った向きで、即ち突起９２をシャッタ１０の下側に向けてシャッタ１０をシャッタベース３０に取り付けようとしても、突起９２がシャッタ受け４０の下部平坦面９６に当たり、取り付けできない。このことによって、シャッタ１０の誤組付けを防止し、シャッタ１０の破損やシャッタ１０の動作の不具合の発生を防止できる。
【００６８】
なお、第５実施形態では、後面６２の上端に突起９２が設けられ、シャッタ受け４０の上部に凹部９４が形成されていることを説明したが、左右方向Ｔ１及び上下方向Ｔ３において突起９２及び凹部９４の各位置が互いに重なっていれば、突起９２及び凹部９４の位置は限定されない。例えば、後面６２の下端に突起９２が設けられ、シャッタ受け４０の下部に凹部９４が形成されていてもよい。
【００６９】
以上、本発明の好ましい実施形態について詳述したが、本発明は上述の実施形態に限定されない。本発明は、特許請求の範囲内に記載された本発明の要旨の範囲内において、変更可能である。
【符号の説明】
【００７０】
２  洗浄機能部
４  局部洗浄装置
９  ノズル通過領域（ノズル開口部）
１０  シャッタ
１７，１８  吐水ノズル
２１  便鉢
２３  内側空間
３０  シャッタベース（シャッタ取付機構）
【図１】
2020158994.tif 000003
【図２】
2020158994.tif 000004
【図３】
2020158994.tif 000005
【図４】
2020158994.tif 000006
【図５】
2020158994.tif 000007
【図６】
2020158994.tif 000008
【図７】
2020158994.tif 000009
【図８】
2020158994.tif 000010